(57)【要約】【課題】  セル間干渉を低減する交信方法及び装置を提供する。【解決手段】  第１の無線通信装置と第２の無線通信装置との間での無線通信中に複数のセル間干渉低減手法の使用を制御する方法は、第１の無線通信装置と第２の無線通信装置との間での無線通信中に使用する１つ以上のセル間干渉低減手法を選択する段階と、所定の開始基準を満たすことに応答して、前記１つ以上の選択されたセル間干渉低減手法の使用を開始する段階と、所定の終了基準を満たすことに応答して、前記１つ以上の選択されたセル間干渉低減手法の使用を終了する段階とを有する。【選択図】  図２
2010103993.tif 000002
【特許請求の範囲】
【請求項１】
第１の無線通信装置と第２の無線通信装置との間での無線通信中に複数のセル間干渉低減手法の使用を制御するセル間干渉低減交信方法であって、
前記複数のセル間干渉低減手法のうちの、前記第１の無線通信装置と前記第２の無線通信装置との間での無線通信中に使用する１つ以上を選択する、システム設定手順実行段階と、
所定の開始基準を満たすことに応答して、前記１つ以上の選択されたセル間干渉低減手法の使用を開始する、開始手順実行段階と、
所定の終了基準を満たすことに応答して、前記１つ以上の選択されたセル間干渉低減手法の使用を終了する、終了手順実行段階と、
を有する方法。
【請求項２】
前記システム設定手順実行段階は、前記第１及び第２の無線通信装置が、各装置が前記複数のセル間干渉低減手法のうちの何れに対応しているかを特定するために通信を行う能力交渉手順実行段階を有し、前記１つ以上のセル間干渉低減手法の前記選択は、前記第１及び第２の無線通信装置の双方が対応しているセル間干渉低減手法又はその部分集合に限定される、請求項１に記載の方法。
【請求項３】
前記システム設定手順実行段階は、前記第１の無線通信装置が、前記無線通信中の使用に利用可能な１つ以上のセル間干渉低減手法を特定する同報メッセージを、前記第２の無線通信装置に送信する段階を有する、請求項１又は２に記載の方法。
【請求項４】
前記同報メッセージは更に前記所定の開始基準を特定し、前記所定の開始基準は、前記第２の無線通信装置によって測定されるべき、前記選択されたセル間干渉低減手法それぞれに関する少なくとも１つのパラメータと、該パラメータそれぞれに関連するトリガー閾値とを指定し、
前記選択されたセル間干渉低減手法の使用の前記開始は、該セル間干渉低減手法に関する前記パラメータの測定値が、関連する前記トリガー閾値を上回る、あるいは下回ることに応答して、前記第２の無線通信装置によって要求される、
請求項３に記載の方法。
【請求項５】
前記第２の無線通信装置によって測定されるべき前記パラメータは、プリアンブルの信号対干渉雑音比又はデータ領域の信号対干渉雑音比であり、前記第２の無線通信装置は、干渉を生じさせている第３の無線通信装置に関する識別子又はその他の測定値を送信する、請求項４に記載の方法。
【請求項６】
前記所定の開始基準は更に、前記トリガー閾値のそれぞれに関して、前記第２の無線通信装置が該閾値に適用する前に前記測定値を平均化する期間を指定するトリガー平均期間を指定し、
前記第２の無線通信装置は、前記選択されたセル間干渉低減手法の使用の前記開始を、該セル間干渉低減手法に関する前記パラメータの平均化された測定値が、関連する前記トリガー閾値を上回る、あるいは下回ることに応答して要求する、
請求項４又は５に記載の方法。
【請求項７】
前記開始手順実行段階は、前記第２の無線通信装置が、前記所定の開始基準が満たされたことに応答して、要求メッセージを前記第１の無線通信装置に送信する段階と、前記第１の無線通信装置が、前記要求メッセージの受信に応答して、要求が承諾されるか否かを指し示す応答メッセージを前記第２の無線通信装置に送信する段階とを有する、請求項１乃至６の何れかに記載の方法。
【請求項８】
前記開始手順実行段階は、前記選択されたセル間干渉低減手法のうちの１つ以上が、前記第２の無線通信装置がセル間干渉低減手法の報告を前記第１の無線通信装置に送信することを必要とする場合に、前記第１の無線通信装置が前記第２の無線通信装置に、前記報告を送信するための帯域幅を割り当てる段階を有する、請求項７に記載の方法。
【請求項９】
前記帯域幅を割り当てる段階は、前記第１の無線通信装置が前記第２の無線通信装置に、前記第２の無線通信装置によって使用される帯域幅を特定する帯域幅割当てメッセージを送信することを有する、請求項８に記載の方法。
【請求項１０】
前記帯域幅割当てメッセージを送信することは、前記帯域幅割当てメッセージを周期的に送信することを有する、請求項９に記載の方法。
【請求項１１】
前記帯域幅割当てメッセージを送信することは、単一の前記帯域幅割当てメッセージを送信することと、前記帯域幅の割当ての開始時間及び期間を特定する情報を送信することとを有する、請求項９に記載の方法。
【請求項１２】
前記開始手順後且つ前記終了手順前に、前記１つ以上の選択されたセル間干渉低減手法の部分として、前記第２の無線通信装置が前記第１の無線通信装置にセル間干渉低減手法の報告を送信する処理段階を実行する段階、
を更に有する請求項１乃至１１の何れかに記載の方法。
【請求項１３】
前記選択されたセル間干渉低減手法のうちの１つ以上が、前記第２の無線通信装置がセル間干渉低減手法の報告を前記第１の無線通信装置に送信することを必要とする場合に、前記第１の無線通信装置が前記第２の無線通信装置に、前記報告を送信するための帯域幅を割り当てる、請求項１２に記載の方法。
【請求項１４】
前記終了手順実行段階は、前記第２の無線通信装置が、前記所定の終了基準が満たされたことに応答して、前記第１の無線通信装置に解除要求メッセージを送信する段階を有する、請求項１乃至１３の何れかに記載の方法。
【請求項１５】
前記解除要求メッセージを送信する段階は、１つ以上のブランクの、セル間干渉低減手法の報告を送信することを有する、請求項１４に記載の方法。
【請求項１６】
前記所定の終了基準は、前記第２の無線通信装置が前記所定の開始基準を満たさないようになったことを含む、請求項１乃至１５の何れかに記載の方法。
【請求項１７】
前記終了手順実行段階は、前記第１の無線通信装置が、前記所定の終了基準が満たされたことに応答して、前記第２の無線通信装置に解除応答メッセージを送信する段階を有する、請求項１乃至１６の何れかに記載の方法。
【請求項１８】
第１の無線通信装置と第２の無線通信装置との間での無線通信中に複数のセル間干渉低減手法の使用を制御するシステムであって、
前記第１の無線通信装置と前記第２の無線通信装置との間での無線通信中に使用する１つ以上のセル間干渉低減手法を選択し、
所定の開始基準を満たすことに応答して、選択された１つ以上のセル間干渉低減手法の使用を開始し、且つ
所定の終了基準を満たすことに応答して、前記選択された１つ以上のセル間干渉低減手法の使用を終了する、
ように構成されたシステム。
【請求項１９】
第１の無線通信装置と第２の無線通信装置との間での無線通信中に複数のセル間干渉低減手法の使用を制御するように適応されたセル間干渉低減交信装置であって、
前記複数のセル間干渉低減手法のうちの、前記第１の無線通信装置と前記第２の無線通信装置との間での無線通信中に使用する１つ以上を選択するシステム設定手順を実行するように適応されたシステム設定回路と、
所定の開始基準を満たすことに応答して、前記１つ以上の選択されたセル間干渉低減手法の使用を開始する開始手順を実行するように適応された開始回路と、
所定の終了基準を満たすことに応答して、前記１つ以上の選択されたセル間干渉低減手法の使用を終了する終了手順を実行するように適応された終了回路と、
を有する装置。
【発明の詳細な説明】
【技術分野】
【０００１】
本発明は、セル間干渉の低減に使用される交信方法及び装置に関する。
【背景技術】
【０００２】
ハンドオーバ、特にハードハンドオーバは、周波数内及び周波数間ハンドオーバ（ＨＯ）でそれぞれ数十ｍｓ及び数百ｍｓという程度の、中断時間として知られる特有の期間、ユーザのアクティブな通信を中断してしまい得る。一部の時間的制約のあるサービスでは、このような中断時間はサービスのレベルを低下させ得るものである。また、ＨＯはユーザデータの喪失を生じさせ得る。これらの理由により、ターゲット基地局（base  station；ＢＳ）及びサービング基地局は、ユーザデータをバッファリングし、時折、重複を避けるようにユーザデータの送信を調整すべきである。より深刻なことには、ハンドオーバ中、ターゲットＢＳにおける無線リソースの不足やターゲットＢＳへのネットワーク再参入の失敗などによって、移動局（mobile  station；ＭＳ）が切断されてしまうことがある。この観点から、その他のシステム性能パラメータを妥当なレベルに維持しながら、ＨＯをある程度回避すべきである。
【０００３】
セル間干渉が、特にセル端領域で、ＭＳの信号品質の劣化を引き起こすことは周知である。通常、ＨＯトリガーの指標は、受信信号強度インジケータ（Received  Signal  Strength  Indicator；ＲＳＳＩ）又は搬送波対干渉・雑音比（Carrier-to-Interference-and-Noise  Ratio；ＣＩＮＲ）である。ＨＯは通常セル端領域で起こり、そこでは干渉の大部分は隣接セルによって引き起こされる。故に、セル間干渉を低減することは、潜在的にＨＯを遅らせ且つ／或いはＨＯ頻度を低下させることにつながり得る。
【０００４】
セル間干渉の回避・低減（inter-cell  interference  avoidance  mitigation；ＩＣＩＭ）は以下のように分類し得る：
・送信器での干渉回避／抑制  例えば、ＦＦＲ（Fractional  Frequency  Reuse）及び干渉のランダム化、
・受信器での干渉相殺／抑制。
【０００５】
図１は、７個の基地局ＢＳ０−ＢＳ６を含む無線ネットワークを示す模式図である。ＢＳ０の周りには３つの区画Ａ、Ｂ及びＣが示されている。区画Ａは、該区画内に位置する移動局がその他の基地局の何れにもハンドオーバされない非ハンドオーバ領域である。区画Ｂは、セル間干渉低減法が実行される干渉低減領域である。区画Ｃは、移動局がその他の基地局ＢＳ１−ＢＳ６のうちの１つにハンドオーバされるハード／ソフトハンドオーバ領域である。
【０００６】
図１に示すように、ＩＣＩＭを用いないと、ＨＯ領域は区画Ｂ及びＣを含む。ＩＣＩＭ技術を採用することにより、ＨＯ領域は区画Ｃのみに狭まり、その場合、ＨＯの頻度が低減されるので、セル端ユーザ性能の強化がもたらされる。
【０００７】
ＩＥＥＥ８０２．１６ｅシステムの改正システムとして、ＩＥＥＥ８０２．１６ｍシステムには、セル端ユーザ性能を強化し、それによりシステム性能を向上させることが要求されている。ＩＣＩＭを導入するため、１６ｍシステムは新たな物理レイヤ機構を採用し、この方式をＰＨＹ／ＭＡＣレイヤ交信／メッセージによって管理すべきである。
【発明の概要】
【発明が解決しようとする課題】
【０００８】
本発明は、セル間干渉の低減に使用される交信方法及び装置を提供する。
【課題を解決するための手段】
【０００９】
第１の態様に従って、第１の無線通信装置と第２の無線通信装置との間での無線通信中に複数のセル間干渉低減手法の使用を制御するセル間干渉低減交信方法が提供される。当該方法は、
複数のセル間干渉低減手法のうちの、第１の無線通信装置と第２の無線通信装置との間での無線通信中に使用する１つ以上を選択する、システム設定手順実行段階と、
所定の開始基準を満たすことに応答して、前記１つ以上の選択されたセル間干渉低減手法の使用を開始する、開始手順実行段階と、
所定の終了基準を満たすことに応答して、前記１つ以上の選択されたセル間干渉低減手法の使用を終了する、終了手順実行段階と、
を有する。
【００１０】
セル間干渉低減（ＩＣＩＭ）手法は、それにより干渉が送信器にて回避あるいは抑制され、受信器にて相殺あるいは抑制される如何なる方法、又はその他のそのような方法をも含む。例えば、ＩＣＩＭ手法は、各基地局／セクタが個々の副搬送波置換を使用してアンダーロードされたシステム内での衝突確率を低減する、ＦＦＲ、ＩＥＥＥ８０２．１６ｍ提言Ｃ８０２１６ｍ−０７＿２１８ｒ７−１に従った干渉ランダム化、又はＩＥＥＥ８０２．１６ｅのＰＵＳＣ（Partial  Usage  of  Sub-channels）を含み得る。
【００１１】
用語“無線通信装置”は、無線通信を請け負うことが可能な如何なる装置に対しても用いられ、具体的には、基地局又は移動局に対して用いられ得る。無線通信装置は、例えばＩＥＥＥ８０２．１６ネットワーク等のネットワークの部分を形成してもよい。移動局は、例えば携帯電話、携帯情報端末、ノート型ＰＣ又はＰＣといったユーザ機器に関係したものであってもよい。しかしながら、理解されるように、本発明はそのような細部に限定されるものではない。
【００１２】
システム設定手順実行段階は、第１及び第２の無線通信装置が、各装置が複数のセル間干渉低減手法のうちの何れに対応しているかを特定するために通信を行う能力交渉手順実行段階を有していてもよく、前記１つ以上のセル間干渉低減手法の選択は、第１及び第２の無線通信装置の双方が対応しているセル間干渉低減手法の部分集合に限定され得る。
【００１３】
システム設定手順実行段階は、第１の無線通信装置が、無線通信中の使用に利用可能な１つ以上のセル間干渉低減手法を特定する同報メッセージを、第２の無線通信装置に送信する段階を有していてもよい。
【００１４】
同報メッセージは更に所定の開始基準を特定してもよく、所定の開始基準は、第２の無線通信装置によって測定されるべき、選択されたセル間干渉低減手法それぞれに関する少なくとも１つのパラメータと、該パラメータそれぞれに関連するトリガー閾値とを指定し、選択されたセル間干渉低減手法の使用の開始は、該セル間干渉低減手法に関するパラメータの測定値が、関連するトリガー閾値を上回る、あるいは下回ることに応答して、第２の無線通信装置によって要求されてもよい。
【００１５】
測定されるべきパラメータは、例えばプリアンブルＳＩＮＲ又はデータ領域ＳＩＮＲ等の干渉に関連するパラメータとし得る。その場合、当該方法は、第２の無線通信装置が、第２の無線通信装置に干渉を生じさせている第３の無線通信装置の識別子又はその他の関連測定値を送信する段階を有していてもよい。識別子又はその他の関連測定値は、選択されたセル間干渉低減手法の使用を開始させる要求とともに、要求メッセージ内で送信されてもよい。
【００１６】
所定の開始基準は更に、トリガー閾値のそれぞれに関して、第２の無線通信装置が該閾値に適用する前に測定値を平均化する期間を指定するトリガー平均期間を指定してもよく、第２の無線通信装置は、選択されたセル間干渉低減手法の使用の開始を、該セル間干渉低減手法に関するパラメータの平均化された測定値が、関連するトリガー閾値を上回る、あるいは下回ることに応答して要求してもよい。
【００１７】
開始手順実行段階は、第２の無線通信装置が、所定の開始基準が満たされたことに応答して、要求メッセージを第１の無線通信装置に送信する段階と、第１の無線通信装置が、要求メッセージの受信に応答して、要求が承諾されるか否かを指し示す応答メッセージを第２の無線通信装置に送信する段階とを有していてもよい。
【００１８】
当該方法は更に、開始手順後且つ終了手順前に、前記１つ以上の選択されたセル間干渉低減手法の部分として、第２の無線通信装置が第１の無線通信装置にセル間干渉低減手法の報告を送信する処理段階を実行する段階を有していてもよい。
【００１９】
処理段階を実行する段階は、選択されたセル間干渉低減手法のうちの１つ以上が、第２の無線通信装置がセル間干渉低減手法の報告を第１の無線通信装置に送信することを必要とする場合に、第１の無線通信装置が第２の無線通信装置に、該報告を送信するための帯域幅を割り当てる段階を有していてもよい。
【００２０】
帯域幅を割り当てる段階は、第１及び第２の無線通信装置の一方又は双方が、セル間干渉低減手法の報告を送信するための、第２の無線通信装置及びその他のそのような無線通信装置によって使用される所定の共有チャネルを特定することを有していてもよい。
【００２１】
帯域幅を割り当てる段階は、第１の無線通信装置が第２の無線通信装置に、第２の無線通信装置によって固有に使用される帯域幅を特定する帯域幅割当てメッセージを送信することを有していてもよい。
【００２２】
帯域幅割当てメッセージを送信することは、帯域幅割当てメッセージを周期的に送信することを有していてもよい。
【００２３】
帯域幅割当てメッセージを送信することは、単一の帯域幅割当てメッセージを送信することと、帯域幅の割当ての開始時間及び期間を特定する情報を送信することとを有していてもよい。
【００２４】
終了手順は、第２の無線通信装置が、所定の終了基準が満たされたことに応答して、第１の無線通信装置に解除要求メッセージを送信する段階を有していてもよい。
【００２５】
解除要求メッセージを送信する段階は、独立した解除要求メッセージを送信することを有していてもよい。
【００２６】
解除要求メッセージを送信する段階は、１つ以上のセル間干渉低減手法の報告の部分として解除要求メッセージを送信することを有していてもよい。
【００２７】
解除要求メッセージを送信する段階は、１つ以上のブランクの、セル間干渉低減手法の報告を送信することを有していてもよい。
【００２８】
“ブランク”は、セル間干渉低減手法の報告が、セル間干渉低減手法に関するデータを含まないことを意味し得る。例えば、報告はヌル（null）レポートであってもよいし、データとして全てゼロを含んでいてもよい。
【００２９】
所定の終了基準は、第２の無線通信装置が所定の開始基準を満たさないようになったことを含んでもよい。
【００３０】
終了手順は、第１の無線通信装置が、所定の終了基準が満たされたことに応答して、第２の無線通信装置に解除応答メッセージを送信する段階を有していてもよい。
【００３１】
解除応答メッセージを送信する段階は、独立した解除応答メッセージを送信することを有していてもよい。
【００３２】
解除応答メッセージを送信する段階は、セル間干渉低減手法の報告を送信するための第２の無線通信装置の帯域幅の割当てを解除することを有していてもよい。
【００３３】
所定の終了基準は、第１の無線通信装置による通信リソース不足の検出を含んでもよい。
【００３４】
所定の終了基準は、チャネル状態の悪化、ハンドオーバ処理のトリガー、及び第１及び第２の無線通信装置間の無線通信の終了、のうちの１つ以上を含んでもよい。
【００３５】
特に断らない限り、第１の態様に係る方法の特徴は、第１及び第２の無線通信装置の一方又は双方によって実行され得る。しかしながら、第１の装置によって実行される第２の態様に係る方法、及び第２の装置によって実行される第３の態様に係る方法も提供される。
【００３６】
第２の態様に従って、第１の無線通信装置と第２の無線通信装置との間での無線通信中に複数のセル間干渉低減手法の使用を制御する、第１の無線通信装置にて使用されるセル間干渉低減交信方法が提供される。当該方法は、第１の無線通信装置による：
複数のセル間干渉低減手法のうちの、第１の無線通信装置と第２の無線通信装置との間での無線通信中に使用する１つ以上を選択する、システム設定手順実行段階と、
所定の開始基準を満たすことに応答して、前記１つ以上の選択されたセル間干渉低減手法の使用を開始する、開始手順実行段階と、
所定の終了基準を満たすことに応答して、前記１つ以上の選択されたセル間干渉低減手法の使用を終了する、終了手順実行段階と、
を有する。
【００３７】
システム設定手順実行段階は、第１の無線通信装置が、自身が複数のセル間干渉低減手法のうちの何れに対応しているかを特定するために、第２の無線通信装置と通信を行う能力交渉手順実行段階を有していてもよい。第１の無線通信装置は、第２の無線通信装置が複数のセル間干渉低減手法のうちの何れに対応しているかを特定するために、第２の無線通信装置からの交信を受信し得る。前記１つ以上のセル間干渉低減手法の選択は、第１の無線通信装置によって実行され、第１及び第２の無線通信装置の双方が対応しているセル間干渉低減手法の部分集合に限定され得る。
【００３８】
システム設定手順実行段階は、第１の無線通信装置が、無線通信中の使用に利用可能な１つ以上のセル間干渉低減手法を特定する同報メッセージを、第２の無線通信装置に送信する段階を有していてもよい。同報メッセージは更に、第１の態様に関して上述したように、所定の開始基準を特定してもよい。
【００３９】
開始手順実行段階は、第１の無線通信装置が第２の無線通信装置からの要求メッセージを受信する段階と、第１の無線通信装置が、要求メッセージの受信に応答して、要求が承諾されるか否かを指し示す応答メッセージを第２の無線通信装置に送信する段階とを有していてもよい。
【００４０】
当該方法は更に、開始手順後且つ終了手順前に、前記１つ以上の選択されたセル間干渉低減手法の部分として、第１の無線通信装置が第２の無線通信装置からセル間干渉低減手法の報告を受信する処理段階を実行する段階を有していてもよい。
【００４１】
処理段階を実行する段階は、選択されたセル間干渉低減手法のうちの１つ以上が、第２の無線通信装置がセル間干渉低減手法の報告を第１の無線通信装置に送信することを必要とする場合に、第１の無線通信装置が第２の無線通信装置に、該報告を送信するための帯域幅を割り当てる段階を有していてもよい。帯域幅を割り当てる段階は、第１の態様に関して上述した特徴を有し得る。
【００４２】
終了手順は、第１の無線通信装置が第２の無線通信装置から解除要求メッセージを受信する段階を有していてもよい。
【００４３】
終了手順は、第１の無線通信装置が、所定の終了基準が満たされたことに応答して、第２の無線通信装置に解除応答メッセージを送信する段階を有していてもよい。解除応答メッセージを送信する段階は、第１の態様に関して上述した特徴を有し得る。
【００４４】
第３の態様に従って、第１の無線通信装置と第２の無線通信装置との間での無線通信中に複数のセル間干渉低減手法の使用を制御する、第２の無線通信装置にて使用されるセル間干渉低減交信方法が提供される。当該方法は、第２の無線通信装置による：
複数のセル間干渉低減手法のうちの、第１の無線通信装置と第２の無線通信装置との間での無線通信中に使用する１つ以上を選択する、システム設定手順実行段階と、
所定の開始基準を満たすことに応答して、前記１つ以上の選択されたセル間干渉低減手法の使用を開始する、開始手順実行段階と、
所定の終了基準を満たすことに応答して、前記１つ以上の選択されたセル間干渉低減手法の使用を終了する、終了手順実行段階と、
を有する。
【００４５】
システム設定手順実行段階は、第２の無線通信装置が、自身が複数のセル間干渉低減手法のうちの何れに対応しているかを特定するために、第１の無線通信装置と通信を行う能力交渉手順実行段階を有していてもよい。第２の無線通信装置は、第１の無線通信装置が複数のセル間干渉低減手法のうちの何れに対応しているかを特定するために、第１の無線通信装置からの交信を受信し得る。前記１つ以上のセル間干渉低減手法の選択は、第２の無線通信装置によって実行され、第１及び第２の無線通信装置の双方が対応しているセル間干渉低減手法の部分集合に限定され得る。
【００４６】
システム設定手順実行段階は、第２の無線通信装置が、無線通信中の使用に利用可能な１つ以上のセル間干渉低減手法を特定する同報メッセージを、第１の無線通信装置から受信する段階を有していてもよい。同報メッセージは更に、上述のように、所定の開始基準を特定してもよい。
【００４７】
当該方法は、第２の無線通信装置が少なくとも１つのパラメータを測定し、測定したパラメータをそれぞれのトリガー閾値と比較する段階を有していてもよい。当該方法は更に、第２の無線通信装置が、該パラメータの測定値が、関連するトリガー閾値を上回る、あるいは下回ることに応答して、選択されたセル間干渉低減手法の使用の開始を要求する段階を有していてもよい。
【００４８】
測定されるべきパラメータが、例えばプリアンブルＳＩＮＲ又はデータ領域ＳＩＮＲ等の干渉に関連するパラメータである場合、当該方法は、第２の無線通信装置が、第２の無線通信装置に干渉を生じさせている第３の無線通信装置の識別子又はその他の関連測定値を送信する段階を有していてもよい。
【００４９】
当該方法は、第２の無線通信装置が、測定したパラメータを、閾値に適用する前に、トリガー平均期間に対応する期間にわたって平均化する段階を有していてもよい。第２の無線通信装置は、選択されたセル間干渉低減手法の使用の開始を、関連するパラメータの平均化された測定値が、関連するトリガー閾値を上回る、あるいは下回ることに応答して要求してもよい。
【００５０】
開始手順実行段階は、所定の開始基準が満たされたことに応答して、第２の無線通信装置が第１の無線通信装置に要求メッセージを送信する段階を有していてもよい。開始手順はまた、第２の無線通信装置が、第１の無線通信装置からの、要求が承諾されるか否かを指し示す応答メッセージを受信する段階を有していてもよい。
【００５１】
当該方法は更に、開始手順後且つ終了手順前に、前記１つ以上の選択されたセル間干渉低減手法の部分として、第２の無線通信装置が第１の無線通信装置にセル間干渉低減手法の報告を送信する処理段階を実行する段階を有していてもよい。
【００５２】
処理段階を実行する段階は、選択されたセル間干渉低減手法のうちの１つ以上が、第２の無線通信装置がセル間干渉低減手法の報告を第１の無線通信装置に送信することを必要とする場合に、第２の無線通信装置が、該報告を送信するための帯域幅の割当てを第１の無線通信装置から受ける段階を有していてもよい。帯域幅は、第１の態様に関して上述したように割り当てられ得る。
【００５３】
終了手順は、第２の無線通信装置が、所定の終了基準が満たされたことに応答して、第１の無線通信装置に解除要求メッセージを送信する段階を有していてもよい。解除要求メッセージを送信する段階は、第１の態様に関して上述した特徴を有し得る。
【００５４】
第２の無線通信装置は、所定の開始基準を満たさなくなることによって、所定の終了基準を満たし得る。
【００５５】
終了手順は、第２の無線通信装置が、第１の無線通信装置から解除応答メッセージを受信する段階を有していてもよい。
【００５６】
特に断らない限り、第１乃至３の態様の何れかに係る方法は、第１乃至３の態様に係る方法のうちの他のものの特徴の、１つ、幾つか、又は全てを含み得る。
【００５７】
第４の態様に従って、第１の無線通信装置と第２の無線通信装置との間での無線通信中に複数のセル間干渉低減手法の使用を制御するように適応されたセル間干渉低減交信装置が提供される。当該装置は、
複数のセル間干渉低減手法のうちの、第１の無線通信装置と第２の無線通信装置との間での無線通信中に使用する１つ以上を選択するシステム設定手順を実行するように適応されたシステム設定回路と、
所定の開始基準を満たすことに応答して、前記１つ以上の選択されたセル間干渉低減手法の使用を開始する開始手順を実行するように適応された開始回路と、
所定の終了基準を満たすことに応答して、前記１つ以上の選択されたセル間干渉低減手法の使用を終了する終了手順を実行するように適応された終了回路と、
を有する。
【００５８】
システム設定回路は、第１及び第２の無線通信装置が、各装置が複数のセル間干渉低減手法のうちの何れに対応しているかを特定するために通信を行う能力交渉手順を実行するように構成されてもよい。システム設定回路は、前記１つ以上のセル間干渉低減手法を、第１及び第２の無線通信装置の双方が対応しているセル間干渉低減手法の部分集合から選択するように構成されてもよい。
【００５９】
システム設定回路は、システム設定手順を実行するとき、第１の無線通信装置から第２の無線通信装置に、無線通信中の使用に利用可能な１つ以上のセル間干渉低減手法を特定する同報メッセージを送信するように構成されてもよい。
【００６０】
同報メッセージが更に所定の開始基準を特定し、且つ所定の開始基準が、第２の無線通信装置によって測定されるべき、選択されたセル間干渉低減手法それぞれに関する少なくとも１つのパラメータと、該パラメータそれぞれに関連するトリガー閾値とを指定する場合、開始回路は、選択されたセル間干渉低減手法の使用の開始を、該セル間干渉低減手法に関するパラメータの測定値が、関連するトリガー閾値を上回る、あるいは下回ることに応答して要求するように構成されてもよい。
【００６１】
測定されるべきパラメータが、例えばプリアンブルＳＩＮＲ又はデータ領域ＳＩＮＲ等の干渉に関連するパラメータである場合、第２の無線通信装置は、第２の無線通信装置に干渉を生じさせている第３の無線通信装置の識別子又はその他の関連測定値を送信するように構成されてもよい。
【００６２】
所定の開始基準が更に、トリガー閾値のそれぞれに関して、第２の無線通信装置が該閾値に適用する前に測定値を平均化する期間を指定するトリガー平均期間を指定する場合、開始回路は、選択されたセル間干渉低減手法の使用の開始を、該セル間干渉低減手法に関するパラメータの平均化された測定値が、関連するトリガー閾値を上回る、あるいは下回ることに応答して要求するように構成されてもよい。
【００６３】
開始回路は、開始手順中、所定の開始基準が満たされたことに応答して、第２の無線通信装置から第１の無線通信装置に要求メッセージを送信するように構成されてもよい。開始回路は、要求メッセージの受信に応答して、要求が承諾されるか否かを指し示す応答メッセージを第１の無線通信装置から第２の無線通信装置に送信するように構成されてもよい。
【００６４】
当該装置は更に、開始手順後且つ終了手順前に処理段階を実行するように構成された処理回路を有していてもよい。処理回路は、処理段階において、前記１つ以上の選択されたセル間干渉低減手法の部分として、第２の無線通信装置から第１の無線通信装置にセル間干渉低減手法の報告を送信するように構成されてもよい。
【００６５】
処理段階において、選択されたセル間干渉低減手法のうちの１つ以上が、第２の無線通信装置がセル間干渉低減手法の報告を第１の無線通信装置に送信することを必要とする場合に、処理装置は、第１の無線通信装置から第２の無線通信装置に、該報告を送信するための帯域幅を割り当てるように構成されてもよい。
【００６６】
処理回路は、セル間干渉低減手法の報告を送信するための、第２の無線通信装置及びその他のそのような無線通信装置によって使用されるように構成された所定の共有チャネルを特定することによって、帯域幅を割り当てるように構成されてもよい。
【００６７】
処理回路は、第１の無線通信装置から第２の無線通信装置に、第２の無線通信装置によって固有に使用される帯域幅を特定する帯域幅割当てメッセージを送信することによって、帯域幅を割り当てるように構成されてもよい。
【００６８】
処理回路は、帯域幅割当てメッセージを周期的に送信するように構成されてもよい。
【００６９】
処理回路は、単一の帯域幅割当てメッセージを送信し、且つ帯域幅の割当ての開始時間及び期間を特定する情報を送信するように構成されてもよい。
【００７０】
終了回路は、終了手順において、所定の終了基準が満たされたことに応答して、第２の無線通信装置から第１の無線通信装置に解除要求メッセージを送信するように構成されてもよい。
【００７１】
終了回路は、独立した解除要求メッセージを送信するように構成されてもよい。
【００７２】
終了回路は、１つ以上のセル間干渉低減手法の報告の部分として解除要求メッセージを送信するように構成されてもよい。
【００７３】
終了回路は、１つ以上のブランクの、セル間干渉低減手法の報告を送信するように構成されてもよい。
【００７４】
終了回路は、終了手順において、所定の終了基準が満たされたことに応答して、第１の無線通信装置から第２の無線通信装置に解除応答メッセージを送信するように構成され得る。
【００７５】
終了回路は、独立した解除応答メッセージを送信するように構成されてもよい。
【００７６】
終了回路は、セル間干渉低減手法の報告を送信するための第２の無線通信装置の帯域幅の割当てを解除するように構成され得る。
【００７７】
終了回路は、第１の無線通信装置における通信リソース不足を検出するように構成されてもよい。
【００７８】
特に断らない限り、第４の態様に係る装置の特徴は、第１及び第２の無線通信装置の一方又は双方の部分を形成し得る。しかしながら、第１の装置の部分を形成する第５の態様に係る装置、及び第２の装置の部分を形成する第６の態様に係る装置も提供される。
【００７９】
第５の態様に従って、第１の無線通信装置の部分を形成するように構成された第４の態様に係るセル間干渉低減交信装置が提供される。当該装置の回路は、第２の態様に係る方法の特徴の何れかを実行するように構成され得る。
【００８０】
第６の態様に従って、第２の無線通信装置の部分を形成するように構成された第４の態様に係るセル間干渉低減交信装置が提供される。当該装置の回路は、第３の態様に係る方法の特徴の何れかを実行するように構成され得る。
【００８１】
特に断らない限り、第４乃至６の態様の何れかに係る装置は、第４乃至６の態様に係る装置のうちの他のものの特徴の、１つ、幾つか、又は全てを含み得る。
【００８２】
第７の態様に従って、コンピュータ上で実行されるときに、第１乃至３の態様の何れかに係る方法をコンピュータに実行させる、あるいは第４乃至６の態様の何れかに係る装置となるコンピュータプログラムが提供される。当該コンピュータプログラムは、記録媒体又は伝送媒体とし得る担持媒体によって担持されてもよい。
【００８３】
何れの回路も、１つ以上のプロセッサ、メモリ及びバスラインを含んでいてもよい。説明した回路のうちの１つ以上が回路要素を共有してもよい。
【００８４】
本発明は、具体的な説明（請求を含む）が個別に為されていようと組み合わせで為されていようと、１つ以上の態様、実施形態又は特徴を個別あるいは様々な組み合わせで含む。
【００８５】
以上の概要は、単に典型的なものであり、限定的なものではない。
【図面の簡単な説明】
【００８６】
以下、図面を参照しながら実施形態を単なる例として説明する。
【図１】セル間干渉の低減のハンドオーバへの効果を例示する図である。
【図２】セル間干渉低減シグナリングの一例を示す図である。
【図３】開始手順の一例を示すフローチャートである。
【図４】処理段階及び終了手順の一例を示すフローチャートである。
【図５】処理段階及び終了手順の他の一例を示すフローチャートである。
【図６】基地局の一例を示すブロック図である。
【図７】移動局の一例を示すブロック図である。
【図８】セル間干渉低減交信方法の一例を示すフローチャートである。
【図９】セル間干渉低減交信装置の一例を示すブロック図である。
【図１０】セル間干渉低減交信方法の他の一例を示すフローチャートである。
【図１１】セル間干渉低減交信装置の他の一例を示すブロック図である。
【発明を実施するための形態】
【００８７】
本発明は、ＩＣＩＭ（セル間干渉低減）管理のためのＭＡＣレイヤのワークフロー及びメッセージを提供し得る。
【００８８】
ＤＬ  ＩＣＩＭを採用するため、システム設定、開始、処理及び終了という４つの段階を有するＩＣＩＭ手順が提供される。図２に、ＩＣＩＭ手順の一例を示す。
【００８９】
図２は、ＩＣＩＭ手順の一例において１６ｍ基地局と１６ｍ移動局との間で行われる交信（シグナリング）を例示する図である。この交信は、システム設定手順、開始手順、処理段階、及び終了手順という４つの段階に分割されている。システム設定手順において、１６ｍ基地局は１６ｍ移動局に同報メッセージを送信する。この同報メッセージは、サポートされている１つ以上の手法と、それぞれの手法に関する閾値及び平均期間とを特定する。同報メッセージに続いて、移動局が基地局に、該移動局がサポートしている手法を特定するＩＣＩＭ能力交渉要求を送信するＩＣＩＭ能力交渉手順が行われ得る。そして、基地局は移動局に、最終的に選択された手法を特定するＩＣＩＭ能力交渉応答を送信し得る。開始手順において、移動局はＩＣＩＭ要求メッセージを基地局に送信し、それに応答し、基地局はＩＣＩＭ応答メッセージを移動局に送り返す。処理段階において、基地局は必要に応じて帯域幅承諾メッセージを移動局に送信し、移動局は１つ以上のＩＣＩＭ報告又はチャネル状態報告を基地局に送信し得る。終了手順において、移動局は解除要求メッセージを基地局に送信し、基地局は解除応答メッセージを移動局に返す。図２において、処理段階の必要に応じての交信は点線で指し示している。図２に示した特定の例においては、帯域幅は基地局から移動局に一度だけ割り当てられ、終了は明示的な解除要求メッセージを用いて移動局によって要求される。
【００９０】
続いて、システム設定手順を説明する。
【００９１】
システム同報メッセージ内で、ＢＳによってサポートされているＩＣＩＭ手法と対応するトリガー閾値とが、セル内の全てのＭＳに提供される。具体的な方式に依存して、異なる種類の閾値（例えば、プリアンブルＳＩＮＲ、データ領域ＳＩＮＲ等）が供給され得る。加えて、各閾値に対応するトリガー平均期間が供給されてもよい。このＩＣＩＭ手法のブロードキャストは、システムの決定に応じて、時間とともに変更されてもよい。一例として、ＦＦＲを用いるＩＣＩＭの場合、データ領域ＳＩＮＲの閾値、データ領域ＳＩＮＲの閾値に関するトリガー平均期間、及び具体的なＩＣＩＭ手法である“ＦＦＲ”自体（所定の符号化又はビットマップの形態をとり得る）を供給することができる。所定の符号化の例において３つの利用可能なＩＣＩＭ手法ａ、ｂ及びｃが存在する場合、同報メッセージの手法欄において“００”が手法ａを表し、“０１”が手法ｂを表し、且つ“１０”が手法ｃを表してもよい。ビットマップの例においては１つのビットが１つの手法を表し得る。例えば、“００１”が手法ａを表し、“０１０”が手法ｂを表し、“１００”が手法ｃを表し、且つ“１１０”が手法ｂ及びｃの双方を表してもよい。
【００９２】
新たなＭＳがＢＳにアクセスするとき、ネットワーク参入／アクセス段階において、ＢＳ及びＭＳはＩＣＩＭの能力を交渉し得る。ＭＳはＩＣＩＭ能力交渉要求メッセージ内で、自身がサポートしているＩＣＩＭ手法をＢＳに通知し、ＢＳはＩＣＩＭ能力交渉応答メッセージ内で、最終的に選択された手法又は複数の手法を用いて応答し得る。
【００９３】
続いて、開始手順を説明する。
【００９４】
ＭＳがＩＣＩＭに対応している場合、例えばトリガー条件といった所定の基準が満たされるとき、ＭＳはＩＣＩＭを得るためにＩＣＩＭ要求メッセージを送信すべきである。干渉しているＢＳの識別子又はその他の関連測定値が同時に供給されてもよい。ＦＦＲを用いるＩＣＩＭの場合の例において、データ領域ＳＩＮＲの値が閾値を下回ったときにＩＣＩＭ要求メッセージを送信することができる。
【００９５】
サービングＢＳは、ＩＣＩＭ要求メッセージを受信すると、該ＩＣＩＭ要求メッセージ内に挙げられた隣接ＢＳと調整を行い、例えば無線リソースの利用可能性、負荷バランシング等の一定の基準に基づいてＭＳに応答する。この応答はＭＡＣメッセージ又はＰＨＹ信号として行うことができる。ＩＣＩＭ手順を行いながら採用ＩＣＩＭ手法を変更する仕組みにシステムが対応している場合、ＢＳはＩＣＩＭ応答メッセージにて、採用した手法をもってＩＣＩＭ要求メッセージに応答し得る。システムがこのような仕組みに対応していない場合には、ＢＳは採用したＩＣＩＭ手法をＩＣＩＭ応答メッセージ内で供給しなくてもよい。
【００９６】
図３は、開始手順中の移動局の動作を表すフローチャートである。該手順が開始されると、移動局はステップ３−１にて、ＩＣＩＭトリガー条件が満たされるか否かを決定する。満たされない場合、移動局はステップ３−１に戻る。条件が満たされる場合、移動局はステップ３−２へと進む。ステップ３−２にて、移動局はＩＣＩＭ要求メッセージを基地局に送信する。ステップ３−３にて、移動局は、基地局からのＩＣＩＭ応答メッセージを受信したか否かを決定する。受信していない場合、移動局はステップ３−４へと進む。ＩＣＩＭ応答メッセージを受信した場合、移動局はステップ３−６へと進み、ＩＣＩＭ処理段階が開始される。ステップ３−４にて、移動局はその待ち時間タイマが満了したか否かを決定する。満了していない場合、移動局はステップ３−３に戻る。タイマが満了している場合、移動局はステップ３−５へと進む。ステップ３−５にて、移動局はその再試行カウンタが超過されたか否かを決定する。超過されていない場合、移動局はステップ３−２に戻る。カウンタが超過された場合、このＩＣＩＭ手順は終了される。
【００９７】
続いて、処理段階を説明する。
【００９８】
サービングＢＳがＩＣＩＭを実行することに合意し、且つ採用されたＩＣＩＭ手法がＭＳからのＩＣＩＭ関連フィードバックを必要とする場合、該ＢＳは、必要に応じてのＩＣＩＭ報告を送信するための帯域幅（ＢＷ）をＭＳに割り当ててもよい。ＦＦＲを用いるＩＣＩＭの場合の例においては、ＩＣＩＭ報告は必要とされない。
【００９９】
ＭＳのＩＣＩＭ報告用のＢＷ割当てに関して、共有型及び固有型という２つの種類のＢＷ割当て法が存在し得る。
【０１００】
先ず、共有型ＢＷ割当てを説明する。
【０１０１】
ＭＳのＩＣＩＭ報告又はその他のフィードバック情報用に所定の固定サイズのチャネルをサービングＢＳが既に割り当てている場合、ＭＳは、サービングＢＳの設定の下で、ＩＣＩＭ報告にこのチャネルを用いることができる。この所定のチャネルは、サービングＢＳの命令の下で、その他の複数のＭＳと共有されることが可能である。この所定チャネルに関するサービングＢＳ設定に基づいて、ＭＳは自身に割り当てられたＢＷが存在するか否かを知ることができる。サービングＢＳはＭＡＰのような仕組みを用いてもよい。例えば、サービングＢＳはＭＡＰのような同報メッセージ内でＢＷの占有者及び期間を提示してもよい。この所定チャネルがその他の管理メッセージ及び／又は該ＭＳ自身のユーザデータと共有される場合、サービングＢＳは、この所定チャネルのサイズで十分であると決定した場合、ＭＳにＢＷを割り当てなくてもよい。その場合、ＭＳは、常に利用可能なこの自分用のＢＷを用いてチャネル状態を報告し、故に、ＢＳはＢＳ起源の終了の場合に該ＭＳにＩＣＩＭの終了を明示的に通知し、それ以外の場合には、ＭＳがチャネル状態を報告し続けることになる。
【０１０２】
次に、固有型ＢＷ割当てを説明する。
【０１０３】
サービングＢＳが所定のチャネルを未だ割り当てていない場合、又はサービングＢＳが所定のチャネル割当てにかかわらず更なるＢＷをＭＳのＩＣＩＭ報告用に割り当てることを決定した場合、サービングＢＳは、ＩＣＩＭ報告用に固有のＢＷを割り当ててもよい。サービングＢＳは、そのようなＢＷを割り当てることに、周期的割当て及び固定割当てという２つの手法を有する。
【０１０４】
周期的割当てでは、ＢＳはＢＷ割当てメッセージ（ＵＬ−ＭＡＰ  ＩＥ等）を周期的に送信することによって帯域幅を割り当てる。この場合、ＢＷ位置は変化され得るので、ＭＳはＢＷ割当てメッセージを検出し、割り当てられたＢＷ位置を見出す。ＭＳ又はＢＳによってＩＣＩＭの終了が始められるとき、サービングＢＳは、ＢＷ割当てメッセージ（ＢＷサイズ＝０）又は解除応答メッセージ／サブヘッダによって、ＢＷ割当ての終了をＭＳに通知することができる。
【０１０５】
固定割当てでは、ＢＳは、一度だけ送信するＢＷ割当てメッセージを用いて帯域幅を割り当てる。このようなＢＷはＭＳに周期的に割り当てられる必要がないので、サービングＢＳは、割当て開始時間及び期間をＭＳに通知してもよい。割当て開始時間はＩＣＩＭ応答メッセージ内に含めることができ、期間は最初のＢＷ割当てメッセージ又はＩＣＩＭ応答メッセージ内に含めることができる。そして、ＭＳは所定時間、所定位置（位置は固定され、最初のＢＷ割当てメッセージによって通知される）のＢＷを得ることができる。この場合、ＭＳ又はＢＳによってＩＣＩＭの終了が始められるとき、サービングＢＳは、解除応答メッセージ／サブヘッダによって、ＢＷ割当ての終了をＭＳに明示的に通知し得る。
【０１０６】
ＭＳがＢＷを得た場合、該ＭＳは、ＩＣＩＭが終了されるまで、この固有の報告チャネル又は所定のＵＬフィードバックチャネル上で、継続的且つ周期的にＩＣＩＭ報告をフィードバックし得る。ＩＣＩＭ報告は、方式に依存するが、隣接ＢＳに関係し、例えば、干渉しているセルのＩＤ、干渉セルに関するプリコーディングベクトル、又はその他のＩＣＩＭ関連シグナリングを含む。
【０１０７】
同時に、サービングＢＳはＩＣＩＭを実行する。それは、基幹回線でのメッセージ交換を用いた隣接ＢＳとの調整を伴い得る。空気インタフェース上で、サービングＢＳ及び場合により隣接ＢＳは、調整のための基幹回線ネットワークメッセージの命令の下で行われ得るＩＣＩＭ物理レイヤ技術を実行することができる。ＦＦＲを用いるＩＣＩＭの場合の例において、サービングＢＳは、セル間干渉を抑制するよう、より高い再使用率を有する区画内のＭＳにリソースを割当ててもよい。
【０１０８】
ＩＣＩＭ手順を行いながら採用ＩＣＩＭ手法を変更する仕組みにシステムが対応している場合、ＢＳは、自身又はその他のネットワークエンティティがＩＣＩＭ手法を変更することを決定した場合に、非応答的にＩＣＩＭ応答メッセージを送信し、採用される新たな手法を通知することができる。ＭＳのＩＣＩＭ報告用のＵＬ帯域幅が変更される必要がある場合、ＢＳは該ＭＳにＢＷを再割当てしてもよい。
【０１０９】
続いて、終了手順を説明する。
【０１１０】
ＩＣＩＭは、以下の終了基準の何れかが満たされる場合に終了され得る：
ａ）チャネル状態が改善され、ＩＣＩＭトリガー条件がもはや満たされない（ＭＳ起源）；
ｂ）無線リソースの不足又はその他の理由により、ＩＣＩＭを継続的に実行することができない（ＢＳ起源）；
ｃ）チャネル状態が更に悪化し、ＨＯがトリガーされるか、ＭＳが異常状態の下で切断されるかする（自動終了）。
【０１１１】
ａ）の場合、ＭＳは、明示的な解除要求メッセージの送信によって、サービングＢＳに終了を通知することができる。このメッセージは、動作指示を有するＩＣＩＭ要求メッセージを再使用してもよいし、新たな規定メッセージ／サブヘッダとして生成されてもよい。解除のための他の選択肢は、ＩＣＩＭ報告が必要な場合に、ＭＳが所定あるいは固有の報告メッセージ／チャネルに解除指示を載せるものである。この便乗的な解除指示は、明示的に規定された符号であってもよいし、ブランクのＩＣＩＭ報告（複数のゼロ）の形態をとってもよい。後者は、暗示的な解除要求と見なし得る。この暗示モードはオーバヘッドを最小化することができる。ＦＦＲを用いるＩＣＩＭの場合の例において、ＭＳは、データ領域ＳＩＮＲの値が閾値を上回ったとき、ＩＣＩＭを終了するよう要求することができる。
【０１１２】
サービングＢＳは、解除要求メッセージ／指示を受信すると、明示的な解除応答メッセージを送信することができる。このメッセージは、動作指示を有するＩＣＩＭ応答メッセージを再使用してもよいし、新たな規定メッセージ／サブヘッダとして生成されてもよいし、ＭＳのＩＣＩＭ報告用のＢＷ割当てを停止させてもよい。
【０１１３】
図４は、ＢＷが一度だけ割り当てられ且つ終了手順が移動局によって暗示的に開始される特定の例における、ＩＣＩＭの処理段階及び終了手順中の移動局の動作の一例を示すフローチャートである。ＩＣＩＭ処理段階の開始後、移動局は、ステップ４−１にて固定ＢＷ割当てを受信し、ステップ４−２にてこの割り当てられたＢＷ内でＩＣＩＭ報告を送信する。ステップ４−３にて、移動局はＩＣＩＭトリガー条件が依然として満たされるか否かを決定する。満たされていれば、移動局はステップ４−２に戻る。満たされていなければ、移動局はステップ４−４にてブランクのＩＣＩＭ報告を送信する。ステップ４−５にて、ＭＳは解除応答メッセージを受信したか否かを決定する。受信していれば、ＩＣＩＭ手順は正常終了される。受信していなければ、ステップ４−６にて、移動局は待ち時間タイマが満了したか否かを決定する必要がある。満了していなければ、ステップ４−５に戻る。満了していれば、ステップ４−７にて、移動局は再試行カウンタが再試行の最大数を超過したか否かを決定する必要がある。超過していなければ、ステップ４−４に戻る。超過していれば、ＩＣＩＭ手順は異常終了される。
【０１１４】
ｂ）の場合、サービングＢＳは、明示的な解除応答メッセージを送信することができる。このメッセージは、動作指示を有するＩＣＩＭ応答メッセージを再使用してもよいし、新たな規定メッセージ／サブヘッダとして生成されてもよいし、ＭＳのＩＣＩＭ報告用のＢＷ割当てを暗示的に停止させてもよい。ＦＦＲを用いるＩＣＩＭの場合の例において、サービングＢＳは、高い再使用率を有する区画内のＭＳ用に十分なリソースをサービングＢＳが見出すことができない場合に、サービングＢＳはＩＣＩＭの終了を開始し得る。
【０１１５】
図５は、ＢＷが周期的に割り当てられ且つ終了手順が基地局によって暗示的に開始される特定の例における、ＩＣＩＭの処理段階及び終了手順中の移動局の動作の一例を示すフローチャートである。ＩＣＩＭ処理段階の開始後、ステップ５−１にて、移動局は報告用の帯域幅を取得しているか否かを決定する。移動局は、帯域幅のサイズがゼロより大きい場合に、帯域幅を取得していると決定することができる。移動局は、帯域幅を取得している場合、ステップ５−２にて、割り当てられた帯域幅内でＩＣＩＭ報告を送信し、その後、ステップ５−１に戻る。取得していない場合、ステップ５−３へと進み、移動局はＩＣＩＭ報告の送信を中止する。そして、ＩＣＩＭ処理が終了される。
【０１１６】
ｃ）の場合、ＩＣＩＭは、関連メッセージ（例えば、ＨＯメッセージ）、又は空気インタフェースからのＭＳ不存在の送信／受信によって自動的に終了される。前者の場合、ＢＳ／ＭＳからの、それぞれ、ＨＯ要求の送信／受信を受けて、ＢＳはＭＳのＩＣＩＭ報告用のＢＷ割当てを停止させることができる。
【０１１７】
図６は、基地局１０の例を示すブロック図である。基地局１０は、ＩＣＩＭアルゴリズム回路１２、帯域幅割当て回路１４、送信回路１８、受信回路２０及びＩＣＩＭ交信装置１００を含んでいる。ＩＣＩＭ交信装置１００は、システム設定回路１０２、開始回路１０４、処理回路１０６及び終了回路１０８を含んでいる。図６において、必要に応じての処理回路ブロック１０６は点線の輪郭で示されている。点線の矢印は帯域幅割当て情報を指し示している。細い実線の矢印は、ＩＣＩＭに関連する情報を指し示している。太い中空の矢印は基幹回線メッセージに関連する情報を指し示している。ＩＣＩＭ交信装置１００は、基地局１０と移動局５０との間での無線通信中に複数のＩＣＩＭ手法の使用を制御するためのものである。システム設定回路１０２は、システム設定手順を実行し、無線通信中に使用する１つ以上のＩＣＩＭ手法を選択するように構成される。開始回路１０４は、所定の開始基準を満たすことに応答して開始手順を実行し、１つ以上の選択されたＩＣＩＭ手法の使用を開始するように構成される。処理回路１０６は、１つ以上の選択されたＩＣＩＭ手法の部分として無線通信中に処理段階を実行し、移動局からのＩＣＩＭ報告を受信するように構成される。終了回路１０８は、所定の終了基準を満たすことに応答して終了手順を実行し、１つ以上の選択されたＩＣＩＭ手法の使用を終了するように構成される。ＩＣＩＭアルゴリズム回路１２は、基地局１０によってサポートされているＩＣＩＭ手法のそれぞれに関する１つ以上のアルゴリズムを格納している。帯域幅割当て回路１４は、処理回路１０６及び終了回路１０８からの指示に基づいて、上述のようにＭＳへの帯域幅割当ての実行又は終了を行うように構成されている。送信回路１８は、移動局に信号を送信するように構成されている。受信回路２０は、移動局から信号を受信するように構成されている。
【０１１８】
図７は、移動局５０のブロック図である。移動局５０は、ＩＣＩＭアルゴリズム回路１２、帯域幅割当て回路１４、送信回路１８、受信回路２０、測定回路２２及びＩＣＩＭ交信装置１００を含んでいる。ＩＣＩＭ交信装置１００は、システム設定回路１０２、開始回路１０４、処理回路１０６及び終了回路１０８を含んでいる。図７において、必要に応じての処理回路ブロック１０６は点線の輪郭で示されている。点線の矢印は帯域幅割当てに関連する交信を指し示している。実線の矢印は、ＩＣＩＭに関連する交信を指し示している。ＩＣＩＭアルゴリズム回路１２は、移動局５０によってサポートされている１つ以上のアルゴリズムに関連する情報を格納している。帯域幅割当て回路１４は、基地局１０からの帯域幅割当てを受信し、必要に応じて、上述のように終了回路１０８に指示を送信するように構成されている。送信回路１８は、基地局１０に信号を送信するように構成されている。受信回路２０は、基地局１０から信号を受信するように構成されている。測定回路２２は、受信回路２０によって受信された物理的な信号を測定し、上述のようなＩＣＩＭアルゴリズム回路１２によって必要とされる１つ以上のパラメータを出力するように構成されている。システム設定回路１０２は、システム設定手順を実行し、移動局５０と基地局１０との間での無線通信中に使用する１つ以上のＩＣＩＭ手法を選択するように構成される。開始回路１０４は、所定の開始基準を満たすことに応答して開始手順を実行し、選択されたＩＣＩＭ手法の使用を開始するように構成される。処理回路１０６は、開始手順後且つ終了手順前に、選択されたＩＣＩＭ手法の部分として、移動局５０が基地局１０にＩＣＩＭ報告を送信する処理段階を実行するように構成される。終了回路１０８は、所定の終了基準を満たすことに応答して終了手順を実行し、選択されたＩＣＩＭ手法の使用を終了するように構成される。
【０１１９】
図８は、基本的なＩＣＩＭ交信方法を示すフローチャートである。この方法は、システム設定手順を実行する処理Ｓ１、開始手順を実行する処理Ｓ２、及び終了手順を実行する処理Ｓ４を含んでいる。
【０１２０】
図９は、ＩＣＩＭ交信装置１００の基本的な一例を示すブロック図である。装置１００は、システム設定回路１０２、開始回路１０４及び終了回路１０８を含んでいる。
【０１２１】
図１０は、ＩＣＩＭ交信方法のより詳細な一例を示すフローチャートである。この方法は、図８の処理Ｓ１、Ｓ２及びＳ４に加えて、開始手順後且つ終了手順前に行われる処理段階を実行する処理Ｓ３を含んでいる。
【０１２２】
図１１は、ＣＩＭ交信装置１００のより詳細な例を示すフローチャートである。システム設定回路１０２、開始回路１０４及び終了回路１０８に加えて、装置１００は更に処理回路１０６を含んでいる。
【０１２３】
本発明は、セル間干渉低減のためのＭＡＣレイヤ管理ワークフローについての対策を提供し得る。４つの段階で構成され得るこのワークフローを用いることにより、無線システムは、任意の種類のセル間干渉低減手法を採用することができる。また、各段階において、当該方法を詳細に実現したものを様々な状況で用いることができる。
【０１２４】
本発明の主な利点は以下を含み得る：
・任意のセル間干渉低減手法に対応する統一された交信の仕組み；
・セル間干渉低減手法が動作しているときにのみＭＳからＢＳへの測定フィードバックを用いることによる、交信オーバヘッドの削減；
・追加的なオーバヘッドを招く高ＱｏＳのフィードバックと、追加的なオーバヘッドを招かない低ＱｏＳのフィードバックという、２種類の、ＤＬチャネル状態に関するＭＳ報告用のＢＷ割当て；
・高い柔軟性を有する周期的割当てと、低いオーバヘッドを有する固定割当てという、特有な２種類の、ＤＬチャネル状態に関するＭＳ報告用のＢＷ割当て；
・ＭＳ起源の終了、ＢＳ起源の終了、及び自動終了という、３種類のＩＣＩＭ終了方式。これらの方式の全てを用いることにより、システムは適時且つ適切にＩＣＩＭを終了することができる；
・明示的及び暗示的という、ＭＳ起源の場合の２種類のＩＣＩＭ解除要求方法。明示方式は何れのＩＣＩＭ手法の場合にも使用され得る。一方、ＭＳからのＩＣＩＭ報告を必要とするＩＣＩＭ手法では、暗示方式によってオーバヘッドを削減することができる。
【０１２５】
認識されるように、上述の回路は、上述の機能に加えて、その他の機能を有していてもよく、これらの機能は同一の回路によって実行されてもよい。
【０１２６】
本出願の出願人は、ここで説明した個々の特徴のそれぞれ、及びそれらの特徴の２つ以上の組み合わせを、それらの特徴又はそれらの特徴の組み合わせがここで開示した問題の何れをも解決するかに関係なく、また、請求項の範囲を限定することなく、当業者の一般的知識の下で本明細書の全体に基づいて実施可能な程度に開示した。本発明の態様は、それらの個々の特徴、又はそれらの特徴の組み合わせで構成され得る。当業者には明らかであるように、以上の説明に鑑みて、本発明の範囲内で様々な変形が為され得る。
【符号の説明】
【０１２７】
１０    基地局
１２    ＩＣＩＭアルゴリズム回路
１４    帯域幅割当て回路
１８    送信回路
２０    受信回路
２２    測定回路
５０    移動局
１００  ＩＣＩＭ（セル間干渉低減）交信装置
１０２  システム設定回路
１０４  開始回路
１０６  処理回路
１０８  終了回路
Ｓ１    システム設定段階
Ｓ２    開始段階
Ｓ３    処理段階
Ｓ４    終了段階
【図１】
2010103993.tif 000003
【図２】
2010103993.tif 000004
【図３】
2010103993.tif 000005
【図４】
2010103993.tif 000006
【図５】
2010103993.tif 000007
【図６】
2010103993.tif 000008
【図７】
2010103993.tif 000009
【図８】
2010103993.tif 000010
【図９】
2010103993.tif 000011
【図１０】
2010103993.tif 000012
【図１１】
2010103993.tif 000013